(57)【要約】【課題】レーザダイオードの熱による影響を防止すること。【解決手段】発光部品（１）及び受光部品（８）を取り付けた光学ベース（１０）と、前記発光部品（１）を駆動させるレーザドライバ（１５）とを含む光ピックアップ装置において、前記光学ベース（１０）は、前記前記発光部品（１）及び前記レーザドライバ（１５）よりも熱伝導率が小さい材料によって作られている。【選択図】      図１
2004334957.tif 000002
【特許請求の範囲】
【請求項１】
光記録媒体に対して記録及び再生可能なビームを光路に沿って放射する発光部品と、前記ビームを入射する受光部品と、前記発光部品及び前記受光部品を取り付けた光学ベースと、前記発光部品を駆動させるレーザドライバとを含む光ピックアップ装置において、前記光学ベースは、前記前記発光部品及び前記レーザドライバよりも熱伝導率が小さい材料によって作られていることを特徴とする光ピックアップ装置。
【請求項２】
請求項１記載の光ピックアップ装置において、前記光学ベースが樹脂材であることを特徴とする光ピックアップ装置。
【請求項３】
請求項２記載の光ピックアップ装置において、前記発光部品と前記レーザドライバとが別体なものであり、前記発光部品と前記レーザドライバとが互いに離れて前記光学ベースに固定されていることを特徴とする光ピックアップ装置。
【請求項４】
請求項１乃至３のいずれか１項に記載の光ピックアップ装置において、前記発光部品と前記レーザドライバとが、前記光学ベースよりも熱伝導率の大きい金属材を含むことを特徴とする光ピックアップ装置。
【発明の詳細な説明】
【０００１】
【発明の属する技術分野】
本発明は、光学ベースと光学ベースに取り付けた発光部品を備えている光ピックアップ装置に属する。
【０００２】
【従来の技術】
光ディスク（光記録媒体）にデータを記録したり再生したりするには、光ピックアップ装置が使用される。図５は、光ピックアップ装置の概要を示している。図示の光ピックアップ装置は、パーソナルコンピュータ等の電子機器に搭載される光ディスクドライブに使用可能なものであり、レーザビームを発生する発光部品としてのレーザダイオード（半導体レーザ素子）１を用いている。
【０００３】
レーザダイオード１から発せられたレーザビームは、ビームスプリッタ２により分岐され、レーザビームの一部は、モニタ装置３に入射する。レーザビームの他部は、コリメートレンズ４、立ち上げミラー５、及び対物レンズ６を介して光ディスク７に照射する。モニタ装置３は、レーザビームの強度を検出する。検出された強度は、レーザダイオード１の駆動の制御に使用される。こうして、レーザダイオード１から発せられたレーザビームを用いて光ディスク７にデータを記録できるようにしている。
【０００４】
なお、光ディスク７としては、ＣＤ−Ｒ、ＣＤ−ＲＷ、ＣＤ−ＲＯＭ、オーディオＣＤ、及びＤＶＤ−ＲＯＭ、ＤＶＤ−Ｒ，ＤＶＤ−ＲＷ，ＤＶＤ＋ＲＷ，ＤＶＤ−ＲＡＭ等がある。
【０００５】
また、光ディスク７からの反射光は、対物レンズ６、立ち上げミラー５、コリメートレンズ４、及びビームスプリッタ２などを介して受光部品としてのホトダイオード８に入射する。こうして、レーザダイオード１から発せられたレーザビームを用いて光ディスク７からデータを再生できるようにしている。
【０００６】
レーザビームの経路に配置されたビームスプリッタ２、コリメートレンズ４、立ち上げミラー５、及び対物レンズ６等の様々な光学素子を纏めて、ここでは光学系と呼ぶ。この光学系、レーザダイオード１、モニタ装置３、及びホトダイオード８は、光学ベース１０に保持される。
【０００７】
ところで、レーザダイオード１及びレーザドライバは熱を発生することから、レーザダイオード１及びレーザドライバの熱の放熱を行うために、光学ベース１０の材料を金属材としてダイカストによって製作している。光学ベース１０の金属材料としては、亜鉛ダイカスト、マグネシウムダイカスト、アルミニウムダイカストなどがある（例えば、引用文献１を参照）。
【０００８】
また、従来の光ピックアップ装置としては、レーザダイオード１と、レーザダイオード１に接続されたプリント基板と、レーザダイオード１及びプリント基板の底面を覆うシールドケースとを備えたものがある（例えば、引用文献２を参照）。
【０００９】
【特許文献１】
特開平１１−８６３１２号公報（第１頁、図２）
【００１０】
【特許文献２】
特開２０００−２５１２９７号公報（第１頁、図２）
【００１１】
【発明が解決しようとする課題】
しかしながら、レーザダイオード１を駆動させるレーザドライバ（図示せず）は、高い出力化の要求があり、この要求に伴ってレーザドライバの熱を放熱するための対策が必要となっている。
【００１２】
したがって、レーザドライバの熱を光学ベース１０に逃がした場合には、レーザドライバの温度がレーザダイオード１の温度よりも高い温度であるために、レーザダイオード１にレーザドライバの熱が還流してしまい、レーザダイオード１の性能が低下してしまうという問題がある。
【００１３】
それ故に本発明の課題は、発光部品がレーザドライバからの熱の影響を受けないように構成した光ピックアップ装置を提供することにある。
【００１４】
【課題を解決するための手段】
本発明によれば、光記録媒体に対して記録及び再生可能なビームを光路に沿って放射する発光部品（１）と、前記ビームを入射する受光部品（８）と、前記発光部品（１）及び前記受光部品（８）を取り付けた光学ベース（１０）と、前記発光部品（１）を駆動させるレーザドライバ（１５）とを含む光ピックアップ装置において、前記光学ベース（１０）は、前記前記発光部品（１）及び前記レーザドライバ（１５）よりも熱伝導率が小さい材料によって作られていることを特徴とする光ピックアップ装置が得られる。
【００１５】
尚、上記括弧内の符号は、本発明の理解を容易にするために付したものであり、一例にすぎず、これらに限定されないのは勿論である。
【００１６】
【発明の実施の形態】
以下、本発明に係る光ピックアップ装置の一実施の形態例を説明する。図１乃至図４は、一実施の形態例における光ピックアップ装置を示している。なお、図５において説明した光ピックアップ装置と同じ部分には、同じ符号を付して説明する。
【００１７】
図５によって説明したように、光ピックアップ装置は、光学系として、レーザビームの経路に配置されたビームスプリッタ２、コリメートレンズ４、立ち上げミラー５、及び対物レンズ６等が備えられている。
【００１８】
図１乃至図４を参照して、光学系、発光部品としてのレーザダイオード１、モニタ装置３、及び受光部品としてのホトダイオード８は、装置筐体である光学ベース１０に保持される。光学ベース１０は、光ディスクドライバに対しシャフト１０ｓをガイド穴１０ａに挿入することによって、シャフト１０ｓをガイドとして移動可能に搭載される。
【００１９】
この実施の形態例における光学ベース１０は、樹脂材を成型することによって製作されている。光学ベース１０の樹脂材としては、例えば、ＰＰＳを採用している。レーザダイオード１は、レーザドライバ（レーザドライバＩＣ）１５によって駆動する。レーザドライバ１５は、シールドケース１７と光学ベース１０との間に取り付けられている。
【００２０】
なお、レーザダイオード１とレーザドライバ１５とは、光学ベース１０よりも熱伝導率の大きい金属材を含む。レーザダイオード１とレーザドライバ１５とは、これらが別体であり、互いに接触しない状態で光学ベース１０に取り付けられている。
【００２１】
レーザダイオード１、モニタ装置３、及びホトダイオード８は、フレキシブル基板１１に接続されている。レーザダイオード１は、光学ベース１０に金属ホルダ１９を介して固定されている。ホトダイオード８は、フレキシブル基板１１のホトダイオード取付部１１ａに取り付けられた後、金属ホルダ１９を介して光学ベース１０に固定される。フレキシブル基板１１とホトダイオード８とは、ホトダイオード８の一面を光学ベース１０に対向させることによって光ビームを入射するものである。
【００２２】
なお、この光ピックアップ装置では、ホトダイオード８を光学ベース１０の側面に設けるように構成されており、ホトダイオード８から送られる信号は、フレキシブル基板１１によって光ディスクドライブ側に送られる。
【００２３】
レーザドライバ１５は、光学ベース１０上に設けられている放熱のための金属板２１上で、フレキシブル基板１１のレーザドライバ取付部１１ｂに取り付けられた後、光学ベース１０に固定される。
【００２４】
上述したように光学ベース１０に固定されているレーザダイオード１及びレーザドライバ１５は、熱伝導率が小さい光学ベース１０によって熱的に分離されて位置していることから、レーザダイオード１がレーザドライバ１５から発生する熱によって影響を受けることがない。
【００２５】
【発明の効果】
本発明に係る光ピックアップ装置によれば、光学ベースは、樹脂材を成形することによって作られており、レーザダイオードとレーザドライバとが熱伝導率の高い金属材を採用し、レーザダイオード１とレーザドライバとを別体で互いに接触していない構成としおり、レーザダイオードとレーザドライバとが熱伝導率が小さい光学ベースによって熱的に分離されているので、レーザダイオードがレーザドライバから発生する熱による影響を受けることを防止できる。
【００２６】
また、光ピックアップ装置によれば、樹脂製の光学ベースとすることで、従来の金属製の光学ベースよりも廉価なものとなる。
【図面の簡単な説明】
【図１】本発明に係る光ピックアップ装置を示す平面図である。
【図２】図１に示した光ピックアップ装置の左側面図である。
【図３】図１に示した光ピックアップ装置の右側面図である。
【図４】図１に示した光ピックアップ装置の背面図である。
【図５】従来の光ピックアップ装置の概要を示す構成図である。
【符号の説明】
１    レーザダイオード
２    ビームスプリッタ
３    モニタ装置
４    コリメートレンズ
５    立ち上げミラー
６    対物レンズ
７    光ディスク
８    ホトダイオード
１０    光学ベース
１１    フレキシブル基板
１１ａ    ホトダイオード取付部
１５    レーザドライバ
【図１】
2004334957.tif 000003
【図２】
2004334957.tif 000004
【図３】
2004334957.tif 000005
【図４】
2004334957.tif 000006
【図５】
2004334957.tif 000007